(57)【要約】本発明は、ローミング中のユーザのネットワーク要素が訪問先の第１ネットワークにアタッチできそしてホームネットワークのサービス手段により依然としてサービスを受けられるような通信方法及びシステムに係る。ローミング中のユーザのネットワーク要素が訪問先ネットワークの被呼ネットワーク要素への接続を登録又は開始するときには、訪問先ネットワークのネットワーク要素、例えば、プロキシ手段が、ホームネットワークへメッセージを送信するときに、被呼ネットワーク要素又は訪問先ネットワークのサービス要素に関する情報を追加する。メッセージは、プロトコルメッセージ、特に、セッション開始プロトコル（ＳＩＰ）のメッセージとして送信されるのが好ましい。
2004506359.tif 000002
【特許請求の範囲】
【請求項１】
第１ネットワークにアタッチできる少なくとも１つの第１ネットワーク要素を備え、この第１ネットワーク要素は、上記第１ネットワークの第２ネットワーク要素に接続することができ、この第２ネットワーク要素は、第２ネットワークに配置された第３ネットワーク要素にアクセスすることができる通信システムにおいて、
上記第１ネットワーク要素は、第１メッセージを上記第２ネットワーク要素へ送信して、上記第１ネットワークに登録するか、或いはその第１ネットワークの第３ネットワーク要素又は第４ネットワーク要素に接続されるようにし、
上記第２ネットワーク要素は、第２メッセージを上記第３ネットワーク要素へ送信し、この第２メッセージは、上記第１ネットワーク要素から上記第４ネットワーク要素への接続の取り扱い又は処理に関連するか、或いは上記第１ネットワークの更に別のネットワーク要素のアドレス又はそれを識別する識別子に関連した付加的な情報を含み、上記更に別のネットワーク要素は、上記第４ネットワーク要素への接続の取り扱い又は処理に関連した情報より成るデータベースを含むか又はそれにアクセスすることができ、そして
上記第３ネットワーク要素は、上記付加的な情報を使用して、接続を取り扱うか又は１つ以上の接続関連ファンクションを処理し、又は更に別のネットワーク要素にアクセスし、或いは上記付加的な情報を記憶しそして要求に応じてそれを供給するように構成された通信システム。
【請求項２】
上記メッセージは、プロトコルメッセージである請求項１に記載の通信システム。
【請求項３】
上記プロトコルは、セッション開始プロトコル（ＳＩＰ）である請求項２に記載の通信システム。
【請求項４】
上記プロトコルメッセージは、「インバイト」又は「レジスター」メッセージである請求項２又は３に記載の通信システム。
【請求項５】
上記第１ネットワーク要素は、ローミング中ユーザのユーザ装置である請求項１ないし４のいずれかに記載の通信システム。
【請求項６】
上記第２ネットワーク要素は、プロキシサーバー、好ましくは、第１ネットワークのプロキシＣＳＣＦである請求項１ないし５のいずれかに記載の通信システム。
【請求項７】
上記第２ネットワーク要素は、訪問先ネットワークにおけるリダイレクションサーバーであり、このリダイレクションサーバーは、上記第３ネットワーク要素を指す情報を記憶する請求項１ないし６のいずれかに記載の通信システム。
【請求項８】
上記リダイレクションサーバーは、実際のコールが設定されそして上記第１ネットワーク要素が第１メッセージをそのリダイレクションサーバーへ送信するときに、上記第３ネットワーク要素を指す情報を返送し、そして上記第１ネットワーク要素は、第１メッセージを第３ネットワーク要素に再送信するように構成された請求項７に記載の通信システム。
【請求項９】
上記第３ネットワーク要素は、上記第２ネットワークの制御手段である請求項１ないし８のいずれかに記載の通信システム。
【請求項１０】
上記第２ネットワークの制御手段は、サービングＣＳＣＦである請求項９に記載の通信システム。
【請求項１１】
上記第３ネットワーク要素は、第２ネットワークに対する加入者に関する情報を記憶するレジスターであるか又はそれを備えている請求項１ないし８のいずれかに記載の通信システム。
【請求項１２】
上記レジスターは、ホーム位置レジスター又はホーム加入者サーバーである請求項１１に記載の通信システム。
【請求項１３】
上記第１ネットワークは、ローミング中のユーザが訪問するネットワークであり、そして上記第２ネットワークは、ユーザのホームネットワークである請求項１ないし１２のいずれかに記載の通信システム。
【請求項１４】
上記付加的な情報は、課金に関連した情報である請求項１ないし１３のいずれかに記載の通信システム。
【請求項１５】
上記付加的な情報は、サービスクラスに関連した情報である請求項１ないし１４のいずれかに記載の通信システム。
【請求項１６】
上記付加的な情報は、訪問先ネットワーク又はネットワーク要素の使用可能なサービス能力を定義する請求項１ないし１５のいずれかに記載の通信システム。
【請求項１７】
上記付加的な情報は、タームゾーンである請求項１ないし１６のいずれかに記載の通信システム。
【請求項１８】
上記付加的な情報は、訪問先ネットワーク又はネットワーク要素のサービスインターワーキング命令である請求項１ないし１７のいずれかに記載の通信システム。
【請求項１９】
上記付加的な情報は、その付加的な情報を含む第１ネットワークの制御要素のアドレス又はそれを指すポインタである請求項１ないし１８のいずれかに記載の通信システム。
【請求項２０】
上記第１及び／又は第２ネットワークは、パケットベースのネットワーク、好ましくはＩＰベースのネットワークである請求項１ないし１９のいずれかに記載の通信システム。
【請求項２１】
第１ネットワークにアタッチできる少なくとも１つの第１ネットワーク要素を備え、この第１ネットワーク要素は、上記第１ネットワークの第２ネットワーク要素に接続することができ、この第２ネットワーク要素は、第２ネットワークに配置された第３ネットワーク要素にアクセスすることができる通信システム内で実行される方法において、
上記第１ネットワーク要素は、第１メッセージを上記第２ネットワーク要素へ送信して、上記第１ネットワークに登録するか、或いはその第１ネットワークの第３又は第４ネットワーク要素に接続されるようにし、
上記第２ネットワーク要素は、第２メッセージを上記第３ネットワーク要素へ送信し、この第２メッセージは、上記第１ネットワーク要素から上記第４ネットワーク要素への接続の取り扱い又は処理に関連するか、或いは更に別のネットワーク要素のアドレス又はそれを識別する識別子に関連した付加的な情報を含み、上記更に別のネットワーク要素は、上記第１ネットワーク要素から第４ネットワーク要素への接続の取り扱い又は処理に関連した情報より成るデータベースを含むか又はそれにアクセスすることができ、そして
上記第３ネットワーク要素は、上記付加的な情報を使用して、接続を取り扱うか又は１つ以上の接続関連ファンクションを処理し、又は更に別のネットワーク要素にアクセスし、或いは上記付加的な情報を記憶しそして要求に応じてそれを供給する、
という段階を備えた方法。
【請求項２２】
上記メッセージは、プロトコルメッセージである請求項２１に記載の方法。
【請求項２３】
上記プロトコルは、セッション開始プロトコル（ＳＩＰ）である請求項２２に記載の方法。
【請求項２４】
上記プロトコルメッセージは、「インバイト」又は「レジスター」メッセージである請求項２２又は２３に記載の方法。
【請求項２５】
上記第１ネットワーク要素は、ローミング中ユーザのユーザ装置である請求項２１ないし２４のいずれかに記載の方法。
【請求項２６】
上記第２ネットワーク要素は、プロキシサーバー、好ましくは、第１ネットワークのプロキシＣＳＣＦである請求項２１ないし２５のいずれかに記載の方法。
【請求項２７】
上記第２ネットワーク要素は、リダイレクションサーバーである請求項２１ないし２５のいずれかに記載の方法。
【請求項２８】
上記第３ネットワーク要素は、上記第２ネットワークの制御手段である請求項２１ないし２７のいずれかに記載の方法。
【請求項２９】
上記第２ネットワークの制御手段は、サービングＣＳＣＦである請求項２８に記載の方法。
【請求項３０】
上記第３ネットワーク要素は、第２ネットワークに対する加入者に関する情報を記憶するレジスターであるか又はそれを備えている請求項２１ないし２９のいずれかに記載の方法。
【請求項３１】
上記レジスターは、ホーム位置レジスター又はホーム加入者サーバーである請求項３０に記載の方法。
【請求項３２】
上記第１ネットワークは、ローミング中のユーザが訪問するネットワークであり、そして上記第２ネットワークは、ユーザのホームネットワークである請求項２１ないし３１のいずれかに記載の方法。
【請求項３３】
上記付加的な情報は、課金に関連した情報である請求項２１ないし３２のいずれかに記載の方法。
【請求項３４】
上記付加的な情報は、サービスクラスに関連した情報である請求項２１ないし３３のいずれかに記載の方法。
【請求項３５】
上記付加的な情報は、訪問先ネットワーク又はネットワーク要素の使用可能なサービス能力を定義する請求項２１ないし３４のいずれかに記載の方法。
【請求項３６】
上記付加的な情報は、タームゾーンである請求項２１ないし３５のいずれかに記載の方法。
【請求項３７】
上記付加的な情報は、訪問先ネットワーク又はネットワーク要素のサービスインターワーキング命令である請求項２１ないし３６のいずれかに記載の方法。
【請求項３８】
上記付加的な情報は、その付加的な情報を含む第１ネットワークの制御要素のアドレス又はそれを指すポインタである請求項２１ないし３７のいずれかに記載の方法。
【請求項３９】
上記第３ネットワーク要素は、上記付加的な情報を受信した後、上記第１ネットワーク要素が接続されることを要求するネットワーク要素に関する情報を送信するように上記制御要素に要求し、上記制御要素は、それに応答して、このような情報を返送する請求項３８に記載の方法。
【請求項４０】
上記第１及び／又は第２ネットワークは、パケットベースのネットワーク、好ましくはＩＰベースのネットワークである請求項２１ないし３９のいずれかに記載の方法。
【請求項４１】
好ましくは請求項１ないし２０のいずれかに記載の通信システムに使用するか、又は請求項２１ないし４０のいずれかに記載の方法に使用するためのネットワーク要素であって、別のネットワークに配置された別のネットワーク要素にアクセスすることのできるネットワーク要素において、
このネットワーク要素は、ネットワークへの登録を要求するか又は別のネットワーク要素又は付加的なネットワーク要素へ接続されることを要求する第１メッセージを更に別のネットワーク要素から受信したときに、第２メッセージを上記別のネットワーク要素へ送信し、この第２メッセージは、上記更に別のネットワーク要素から上記付加的なネットワーク要素への接続の取り扱い又は処理に関連するか、或いは更に別のネットワーク要素のアドレス又はそれを識別する識別子に関連した付加的な情報を含み、上記更に別のネットワーク要素は、上記付加的なネットワーク要素への接続の取り扱い又は処理に関連した情報より成るデータベースを含むか又はそれにアクセスすることができるように構成されたネットワーク要素。
【請求項４２】
上記ネットワーク要素は、プロキシサーバーである請求項４１に記載のネットワーク要素。
【請求項４３】
上記ネットワーク要素は、リダイレクションサーバーである請求項４１に記載のネットワーク要素。
【請求項４４】
好ましくは請求項１ないし２０のいずれかに記載の通信システムに使用するか、又は請求項２１ないし４０のいずれかに記載の方法に使用するためのネットワーク要素であって、他のネットワーク要素間の接続を制御するように働きそして別のネットワーク要素によりアクセスすることができるネットワーク要素において、
このネットワーク要素は、他のネットワーク要素間の接続の取り扱い又は処理に関連するか、或いは更に別のネットワーク要素のアドレス又はそれを識別する識別子に関連した付加的な情報を上記別のネットワーク要素から受信し、上記更に別のネットワーク要素は、更に別のネットワーク要素への接続の取り扱い又は処理に関連した情報より成るデータベースを含むか又はそれにアクセスすることができ、或いは
上記ネットワーク要素は、上記付加的な情報を使用して、接続を取り扱うか又は１つ以上の接続関連ファンクションを処理し、又は更に別のネットワーク要素にアクセスし、或いは上記付加的な情報を記憶しそして要求に応じてそれを供給するように構成されたネットワーク要素。
【請求項４５】
上記ネットワーク要素は、ネットワークの制御手段である請求項４４に記載のネットワーク要素。
【請求項４６】
上記制御手段は、サービングＣＳＣＦである請求項４５に記載のネットワーク要素。
【発明の詳細な説明】
【０００１】
【技術分野】
本発明は、移動通信の分野に係る。より詳細には、本発明は、接続が２つ以上のネットワークを伴う場合に接続又は接続関連パラメータの取り扱いに向けられる。
【０００２】
【背景技術】
最近の又は計画されたネットワークアーキテクチャーでは、ローミング加入者のための種々のサービスモデルが提供される。ユーザがローミングしているときには、加入者が登録されそしてコール状態制御のような接続制御が取り扱われる制御手段又は制御ファンクション（リリース２０００に基づくネットワークアーキテクチャーではサービングＣＳＣＦ（コール状態制御ファンクション）のような）が、依然、ホームネットワークに配置される。このようなホームサービスモデルでは、適切な接続制御のために訪問先ネットワークからホームネットワークへ色々な種類の情報を通すことが重要である。
【０００３】
例えば、サービング制御ファンクションが、例えば、サービスクラス又は課金レート等について全ての必要な情報を有していないと、制御ファンクションが、ローミング中の加入者から別の装置又はユーザへのコールのような接続を不適切に取り扱い又は課金することがある。
【０００４】
【発明の開示】
本発明は、加入者が訪問先ネットワークにアタッチされるべきときでも、コールのような接続を適切に取り扱い又は処理することのできるシステム及び方法を提供する。
本発明のある特徴によれば、特許請求の範囲に規定された通信システムが提供される。
本発明の別の特徴によれば、方法の請求項に規定された方法が提供される。
【０００５】
より詳細には、本発明は、訪問先の第１ネットワークにアタッチできる少なくとも１つの第１ネットワーク要素を備えていて、これを訪問先第１ネットワークの第２ネットワーク要素に接続することができ、この第２ネットワーク要素は、第２ネットワークに配置された第３ネットワーク要素にアクセスすることができるような通信方法及び／又は通信システムに向けられる。第１ネットワーク要素は、第１メッセージを第２ネットワーク要素へ送信し、第１ネットワークに登録するか、或いは訪問先第１ネットワークの第３ネットワーク要素又は第４ネットワーク要素に接続されるようにする。第２ネットワーク要素は、第２メッセージを第３ネットワーク要素へ送信し、この第２メッセージは、第１ネットワーク要素から第４ネットワーク要素への接続の取り扱い又は処理に関連するか、或いは第１ネットワークの更に別のネットワーク要素のアドレス又はそれを識別する識別子に関連した付加的な情報を含み、上記更に別のネットワーク要素は、第４ネットワーク要素への接続の取り扱い又は処理に関連した情報より成るデータベースを含むか又はそれにアクセスすることができる。第３ネットワーク要素は、その付加的な情報を使用して、接続を取り扱うか又は１つ以上の接続関連ファンクションを処理し、又は更に別のネットワーク要素にアクセスし、或いは付加的な情報を記憶しそして要求に応じてそれを供給する。メッセージは、特に、セッション開始プロトコル（ＳＩＰ）のプロトコルメッセージとして送信されるのが好ましい。
【０００６】
一般に、本発明は、好ましくは、コール状態制御のようなコール制御がホームネットワークにおいて取り扱われるホームサービスモデルの場合に、訪問先ネットワークからホームネットワークへサービス情報及び／又は他の情報を転送する。本発明の好ましい特徴によれば、訪問先ネットワークは、プロキシコール状態制御ファンクション（ＣＳＣＦ）のようなプロキシファンクションを与え、これは、ホームネットワーク、好ましくは、サービングＣＳＣＦのようなサービング制御手段又はファンクション、或いはＨＳＳ（ホーム加入者サーバー）のような加入者サービングファンクション又は手段へ情報を通すことができる。
【０００７】
本発明の好ましい特徴によれば、ローミング中の加入者の接続を適切に取り扱い又は処理することに関連した問題が解消される。例えば、本発明は、ローミング中の加入者が訪問先ネットワーク内の行先、例えば、ローカルＰＳＴＮ（公衆交換電話ネットワーク）へコールするときに、適切な課金又は他のコール制御を行うことができる。ホームネットワークは、通常、訪問先ネットワークで使用されるローカル番号及び／又は論理的名前及び／又はエイリアスに関する詳細レベル情報を知らないので、訪問先ネットワークにおけるプロキシファンクション（例えば、プロキシＣＳＣＦ）のような制御手段又はファンクションは、本発明の１つの実施形態により、被呼ローカル行先に関する情報を追加するように構成される。例えば、その追加情報は、行先の課金レート及び形式を指示することができる。プロキシサーバー又はファンクションは、訪問加入者がプロキシサーバーを経て訪問先ネットワークのローカル行先へコールしたときに、例えば、コールベースでこの情報を追加することができる。
【０００８】
本発明の別の実施形態によれば、プロキシサーバー又はファンクションは、ホームネットワークのサービング制御ファンクションが行先に関する情報（例えば、課金レート、行先の形式等）を尋ねることができる訪問先ネットワークのローカルサービス又はサービス要素を指すポインタを追加することができる。
このようなポインタをコールベースで追加し、即ちそれを各コール通知に追加するのに代わって、訪問先ネットワークにおける行先に関する当該情報を有するローカルサービス要素を指すポインタを登録段階において通すこともできる。
【０００９】
又、本発明による構造及び方法は、訪問先ネットワークから受信した情報に基づいてホームネットワークにおいてコールを阻止するような他のサービスを実行する能力も与える。例えば、ホームネットワークのコール制御ファンクション又は手段が、例えばユーザ又は会社により入力されそして例えば出て行く国際コールの阻止を定義するコール阻止情報を受け取ったときには、ローミング中の加入者が、国際コールへの接続を開始するように訪問先ネットワークのコール制御ファンクション又は手段に要求したときに（訪問先ネットワークのコール制御ファンクション又は手段は、このようなコールを確立する前に、このような要求をホームネットワークのサービング制御ファンクションに報告する）、ホームネットワークのコール制御ファンクション又は手段は、訪問先ネットワークの制御ファンクション又は手段（例えば、訪問先ネットワークのプロキシサーバー）に、接続を確立しないように要求する。
送信されるシグナリング情報（メッセージ）は、安全確保されて、異なるネットワーク間で認証されるのが好ましい。
【００１０】
【発明を実施するための最良の形態】
図１は、移動ターミナル、例えば、移動電話のような移動ネットワーク要素１が、それが加入者として登録されたホームネットワークから、別のネットワーク（訪問先ネットワーク）へとローミングした状態における本発明の実施形態を示す。訪問先ネットワークは、更に別のネットワーク要素３を備え、これは、この実施形態では、プロキシＣＳＣＦ（コール状態制御ファンクション）のような制御手段又はファンクションである。このファンクション又はこのファンクションを実行する手段３、並びに他のネットワーク要素は、例えば、３ＧＰＰ　ＴＲ２３．８２１　ｖ１．０．０（例えば、インターネットｗｗｗ．３ｇｐｐ．ｏｒｇを経てアクセスできる）に説明されている。訪問先ネットワークとホームネットワークとの間の境界は、破線４で示されている。ホームネットワークは、ネットワーク要素１の加入者が登録されそして例えば課金を含むコール状態制御が取り扱われるサービングＣＳＣＦ６を備えている。
【００１１】
移動ネットワーク要素１が、訪問先ネットワークに登録された別のネットワーク要素に接続されることを要求するときには、ネットワーク要素１は、例えば、名前や番号や他の識別子で他のネットワーク要素を識別するメッセージ２をプロキシ要素３に送信する。このメッセージは、プロトコルメッセージであるのが好ましい。好ましい実施形態では、プロトコルメッセージは、被呼者の名前及び／又は番号を指示するＳＩＰ（セッション開始プロトコル）ワードである。このプロトコルワードは、ＳＩＰ：インバイト（招待）メッセージである。
【００１２】
プロキシ手段３は、訪問先ネットワークの加入者の加入者識別（例えば、名前又は番号）にマップされたサービスクラス、例えば、ペイホン（ｐａｙｐｈｏｎｅ）、課金情報、例えば、料率、等々の付加的な情報を含むテーブルを備えているか又はそれにアクセスすることができる。更に、プロキシ手段３は、例えば、タイムゾーン、訪問先ネットワーク又はネットワーク要素のサービス能力、並びに訪問先ネットワーク及びホームネットワーク協働のためのサービスインターワーキング情報のようなネットワーク又はネットワーク要素関連情報を含むか、又はそれにアクセスすることができる。メッセージ２を受信すると、プロキシ手段３は、メッセージ２に含まれた識別（名前又は番号）を使用することにより、被呼者に対して記憶された付加的な情報又はパラメータをルックアップし、そしてホームネットワークのサービングファンクション又は手段６にメッセージ５を送信する。更に、訪問先ネットワーク又はネットワーク要素に関連した情報が、それに加えて又はそれとは別に、メッセージ５に含まれてもよい。
【００１３】
メッセージ５は、プロトコルワード、好ましくは、ＳＩＰ：インバイトであり、これは、ここでは、接続が確立されるべき当事者を識別する名前及び／又は番号或いは他の識別子に加えて、ネットワーク要素１から被呼者への接続を適切に取り扱い又は処理するのに必要な付加的なパラメータ又は情報を含む。メッセージ５に含まれる名前及び／又は番号或いは他の識別子は、メッセージ２に含まれた情報と同じ情報でもよいし、或いはそこから又は他の情報から導出されてもよい。例えば、コール繰り返し要求がメッセージ２において送信されるときは、このコール繰り返し要求は、例えば、最後の被呼番号等を記憶するデータベースを使用して、接続が確立されるべき当事者の名前又は他の識別子へ変換することができる。
【００１４】
ここに示す例では、メッセージ５に含まれる付加的な情報は、「サービスクラス：ペイホン」及び「課金情報：料率」である。それ故、サービス手段６は、接続のための料金を正しく課することを含む、コールを適切に制御し、取り扱い又は処理するに充分な情報を有する。
この構造は、ネットワークの適切な機能を確保し、そして自分の加入者のローミングが許された他の全てのネットワークの全てのネットワーク要素に関する情報を固定記憶するという負担から制御手段６を軽減する。訪問すべき各ネットワークは、ネットワーク要素１が接続されることを希望する当事者又は装置を識別又は特徴付ける付加的な情報、或いは訪問先ネットワーク又はその中のネットワーク要素に関連した付加的な情報をメッセージ５に追加することのできるプロキシ手段３を１つ以上有してもよい。
【００１５】
従って、図１に示す通信システムの構造は、被呼者又は訪問先ネットワークの当該パラメータが、ネットワーク要素３から送信されるメッセージ３に直接含まれるようなコールごとのベースで訪問先ネットワークからホームネットワークへサービス情報を転送することができる。
図２は、プロキシ手段３が訪問先ネットワークのローカルサービス要素８を指すポインタを記憶する本発明の更に別の実施形態を示す。このローカルサービス要素８は、訪問先ネットワークの加入者に対する情報及び／又はパラメータが記憶されたデータベースであるか又はそれを備えている。この情報又はパラメータは、サービスクラス、例えば、ペイホン、及び課金レート、例えば、営業用料率又は個人用料率のような情報を含むのが好ましい。更に、訪問先ネットワーク又はネットワーク要素に関連した情報は、サービス要素８のデータベースに記憶されてもよい。この情報は、例えば、タイムゾーン、訪問先ネットワーク又はネットワーク要素のサービス能力、並びに訪問先ネットワーク及びホームネットワーク協働のためのサービスインターワーキング情報を含む。このような構造は、プロキシ手段３を、自分のデータベースに記憶したりアクセスしたりすることから軽減し、従って、プロキシ手段３の記憶及び処理容量要件を低減する。
【００１６】
図２の場合に、移動ユーザ電話のようなネットワーク要素１は、訪問先ネットワークに登録された別のネットワーク要素、例えば、加入者又はホスト等に接続されることを希望するときには、第１段階として、図１のケースと同様に、プロキシ手段３にメッセージ２を送信し、これは、被呼ネットワーク要素又は被呼者を識別するための識別子（被呼者の名前及び／又は番号）を含む。メッセージ２を受信すると、プロキシ手段３は、それに応答して、ネットワーク要素１のホームネットワークのサービスエンティティ６にメッセージ７を送信する。メッセージ２と同様に、メッセージ７は、好ましくは、ＳＩＰ：インバイトメッセージのようなＳＩＰプロトコルのプロトコルメッセージである。しかしながら、プロキシ手段３は、被呼者の名前／番号に加えて、訪問先ネットワークの別のネットワーク要素、好ましくは、ローカルサービス要素８を指すポインタのような識別子をメッセージ７に含ませる。
【００１７】
それとは別に又はそれに加えて、プロキシ手段３は、ローカルサービス要素８に関連した他の情報並びに訪問先ネットワーク又はネットワーク要素の被呼番号を追加してもよい。このパラメータは、ローカルサービス要素が手段６によって質問されたときに使用される「キー」であってもよい。この「キー」は、被呼番号、訪問先ネットワーク及び／又は訪問先ネットワーク要素に対する実際の情報を指す。
【００１８】
ポインタは、ローカルサービス要素８を識別する情報、例えば、要素８をアドレスするに充分なアドレスであってもよい。ローカルサービス要素８は、訪問先ネットワークの加入者の加入者名又は番号が、訪問先ネットワークの加入者への接続を適切に取り扱い又は処理するに必要な情報又はパラメータへマップされたデータベースを含む。又、ローカルサービス要素８は、上記「キー」を使用してデータベースからアクセスされる訪問先ネットワーク特有の、又はネットワーク要素特有の情報を記憶することもできる。メッセージ７を受信した後、サービス手段６は、メッセージ７に含まれたポインタにより識別されたローカルサービス要素８へメッセージ９を送信する。このメッセージ９は、被呼者に関する情報、或いは訪問先ネットワーク又はネットワーク要素に関連した情報をローカルサービス要素８が送信するように要求するローカルサービス要素８への要求である。メッセージ９は、料金を決定するのに使用される質問でもよい。又、メッセージ９は、被呼者を識別するための被呼者の名前及び／又は番号、並びに最終的には上記キーも含んでもよい。ローカルサービス要素８は、そのデータベースをルックアップし、そしてメッセージ９に応答して、被呼者への接続を適切に取り扱うための当該被呼者に関する情報、例えば、サービスクラス及び課金レートが含まれたメッセージ１０を返送する。又、このメッセージ１０は、接続を処理するための直接的な命令を含んでもよい。サービス手段６は、ここで、ネットワーク要素１と被呼者との間の接続を適切に取り扱いそして処理する（課金を含む）に充分な情報を有する。
【００１９】
図２のケースでは、訪問先ネットワークからホームネットワークへのサービス情報の転送は、最初に、訪問先ネットワークからホームネットワークへメッセージ７を送信し、次いで、ホームネットワークから訪問先ネットワークへメッセージ９を返送して、ローカルサービス要素８のデータベースにアクセスし、そして最終的に、訪問先ネットワークからホームネットワークへメッセージ１０によりコール関連情報を送信することにより、多数のステップで実行される。従って、訪問先ネットワークからホームネットワークへのサービス情報の転送は、コールごとのベースでポインタを通過させることにより実行され、即ちホームネットワークのローミング中加入者と訪問先ネットワークの加入者との間の接続を伴う各コールにより実行される。
【００２０】
図３は、訪問先ネットワークからホームネットワークへのサービス情報転送のために、訪問先ネットワークのローカルサービス要素を指すポインタが登録段階に通過される更に別の実施形態を示す。
ホームネットワークに対する加入者が訪問先ネットワークへローミングし、そして例えば、移動電話又はラップトップのような自分のターミナルネットワーク要素１をスイッチオンすることによりそれを使用するか又はアクチベートしたいときには、ネットワーク要素が「レジスター（登録）」要求を発生し、これが訪問先ネットワークのプロキシサーバー又はファンクション３へ送信される。このレジスター要求は、メッセージ１１、ＳＩＰ：レジスターである。ＳＩＰの詳細は、例えば、ＲＦＣ２５４３に規定されており、この文書は、とりわけ、「インバイト」及び「レジスター」要求及びその取り扱いについて説明している。この文書の開示内容をここに含ませる。
【００２１】
プロキシ手段３は、レジスター（登録）要求１１を受信すると、それに応答して、メッセージ１２をホームネットワークへ送信する。メッセージ１２も、同様に、「ＳＩＰ：レジスター」であってもよい。メッセージ１２では、登録されるべきネットワーク要素１を識別する情報に加えて、図２の要素８のような訪問先ネットワークのローカルサービス要素又はデータベースを指すポインタが追加される。このローカルサービス要素又はデータベースは、訪問先ネットワークと契約したネットワークエンティティ又はユーザに関する情報を含み、この情報は、図１及び２を参照して既に述べたように、訪問先ネットワークの加入者への接続を適切に構築するためのサービスクラス及び課金情報を含む。メッセージ１２は、訪問先ネットワークのローカルサービス要素／データベースへアクセスするためにこのような情報を登録するホームネットワークのレジスターへアドレスされる。メッセージ１２に含まれたポインタは、要素８のようなローカルサービス要素又はデータベースのアクセスアドレス、或いは他の適当な識別子でよい。図３によれば、メッセージ１２は、ネットワーク要素１のホームネットワークのネットワーク要素に向けられる。
【００２２】
メッセージ１２が向けられそしてローカルサービス要素／データベースに対するポインタ又はアドレスが記憶される要素１３は、ホームネットワークのホーム加入者サーバー（ＨＳＳ）１３であってもよいし、又はホームネットワークに対するローミング加入者を含む加入者に関連した位置情報を記憶する他のレジスターであってもよい。ホーム加入者サーバー１３のようなこのレジスターは、そのデータベースに、訪問先ネットワークに登録されるネットワーク要素１の基本的加入者データと、それに関連して、訪問先ネットワークのローカルサービス要素又はデータベースを指すポインタ又はアドレスとを記憶し、これは、訪問先ネットワークの加入者へのコールを適切に取り扱うのに必要な接続関連情報を含む。その後に、ネットワーク要素１が訪問先ネットワークの別のネットワーク要素に接続されることを要求するときには、メッセージ２（図２）のようなメッセージをプロキシスダン３へ送信する。プロキシ手段３は、メッセージ７と同様のメッセージをホームネットワークのサービス手段６に送信する。しかしながら、この場合に、図１又は２のメッセージ５又は７とは対照的に、メッセージ７は、名前又は番号しか含まず、付加的なポインタ又はアドレスは含まない。サービス手段６は、ネットワーク要素１を識別し、そしてネットワーク要素１に関連してサーバー１３に記憶されたローカルサービス要素８のポインタ又はアドレスの送信を要求することにより、ホーム加入者サーバー１３に問合せする。サーバー１３は、図３に矢印１４で示されたように、この情報をサービス手段６へ送信する。その際に、サービス手段６は、図２に示すように、ローカルサービス要素８へメッセージ９を送信し、このローカルサービス要素８は、それに応答して、サービスクラス及び勘定レートのような接続関連情報を含むメッセージ１０を返送する。
【００２３】
別の実施形態（図示せず）では、プロキシ手段３に代わって訪問先ネットワークにリダイレクションサーバーが設けられる。このようなリダイレクションサーバーは、ＳＩＰ仕様書に説明されている。この場合には、Ｓ−ＣＳＣＦ６を指すポインタが登録段階で記憶される。実際のコールが設定されるときには、ターミナル１がインバイトメッセージをリダイレクションサーバーへ送信し、該サーバーは、次いで、それに応答して、Ｓ−ＣＳＣＦアドレスをターミナル１へ返送する。ターミナルは、インバイトメッセージをＳ−ＣＳＣＦ６へ直接再送信する。この場合には、課金及び他のコール取り扱い手順がＳ−ＣＳＣＦ６によって正しく実行され、そしてターミナル１が課金情報を送信することを期待する必要はない。
【００２４】
本発明は、リリース２０００アーキテクチャーに基づいて実施される実施形態を主として参照することにより上述したが、本発明は、ＧＰＲＳベース、ＵＭＴＳベース、ＧＳＭベースのネットワーク等の異なる形式のネットワークアーキテクチャーに組み込むこともできる。更に、ＳＩＰプロトコルが好ましいが、コール発信又は登録メッセージのようなメッセージを転送するための他のプロトコルを使用することもできる。本発明の範囲は、上述した好ましい実施形態に限定されるものではなく、上述した特徴の変更や修正や省略も包含するものとする。
【図面の簡単な説明】
【図１】
訪問先ネットワークからホームネットワークへのサービス情報の転送を与える本発明の第１実施形態を示す図である。
【図２】
訪問先ネットワークからホームネットワークへのサービス情報の転送がポインタの送信によりコールベースで実行される本発明の更に別の実施形態を示す図である。
【図３】
ポインタが登録段階に通されるようにして訪問先ネットワークからホームネットワークへサービス情報を転送する本発明の別の実施形態を示す図である。
【図１】
2004506359.tif 000003
【図２】
2004506359.tif 000004
【図３】
2004506359.tif 000005
【国際公開パンフレット】
2004506359.tif 000006
2004506359.tif 000007
2004506359.tif 000008
2004506359.tif 000009
2004506359.tif 000010
2004506359.tif 000011
2004506359.tif 000012
2004506359.tif 000013
2004506359.tif 000014
2004506359.tif 000015
2004506359.tif 000016
2004506359.tif 000017
2004506359.tif 000018
2004506359.tif 000019
2004506359.tif 000020
2004506359.tif 000021
2004506359.tif 000022
2004506359.tif 000023
2004506359.tif 000024
2004506359.tif 000025
2004506359.tif 000026
2004506359.tif 000027
2004506359.tif 000028
2004506359.tif 000029
2004506359.tif 000030
【国際調査報告】
2004506359.tif 000031
2004506359.tif 000032
2004506359.tif 000033